(57)【要約】【課題】グランド接続を簡易な方法で行うことができる電気コネクタを提供する。【解決手段】コネクタは、取付孔が形成されているリアケースを有する機器（カメラモジュール）に同軸ケーブル５０７を接続する。コネクタは、導体からなる中心端子と、中心端子を取り囲む誘電体（絶縁体）から構成される誘電体部と、取付孔に挿入される筒状部１３１を含み、筒状部１３１の内部に誘電体部と中心端子とを収容するグランド端子と、グランド端子の筒状部１３１の端部に組み付けられたシールドスプリング１４０と、を備える。シールドスプリング１４０は、筒状部１３１の筒軸方向に撓み可能に設けられ、リアケースの取付孔が形成されている取付面に当接するバネ部１４１を有する。【選択図】図１０
2019029235.tif 000002
【特許請求の範囲】
【請求項１】
取付孔が形成されているハウジングを有する機器に同軸ケーブルを接続するための電気コネクタであって、
導体からなる中心端子と、
前記中心端子を取り囲む誘電体から構成される誘電体部と、
前記取付孔に挿入される筒状部を含み、前記筒状部の内部に前記誘電体部と前記中心端子とを収容するグランド端子と、
前記グランド端子の前記筒状部の端部に組み付けられた接続部材と、
を備え、
前記接続部材は、前記筒状部の筒軸方向に撓み可能に設けられ、前記ハウジングの前記取付孔が形成されている取付面に当接するバネ部を有する、
電気コネクタ。
【請求項２】
前記グランド端子の前記筒状部の外周側面には、前記ハウジングの前記取付孔内に形成された係止部に係止するランスが形成されている、
請求項１に記載の電気コネクタ。
【請求項３】
前記中心端子は、中心端子本体と、同軸ケーブルの内部導体を挟む固定接点部と弾性接点部と、を有し、
前記グランド端子は、前記筒状部と一体的に設けられ、前記筒状部の筒軸方向に対して屈曲してから延設される延設部を含み、
前記延設部は、絶縁部材を介して前記弾性接点部を前記固定接点部に向けて押さえる、
請求項１または２に記載の電気コネクタ。
【請求項４】
前記延設部は、接続部材圧着部を含み、
前記接続部材には、第１かしめ部が形成され、
前記接続部材圧着部が前記第１かしめ部を圧着することで、前記接続部材を前記グランド端子に固定する、
請求項３に記載の電気コネクタ。
【請求項５】
前記グランド端子には、前記筒状部から延設され、前記接続部材圧着部に圧着されている前記第１かしめ部を受ける第２かしめ部が形成されている、
請求項４に記載の電気コネクタ。
【請求項６】
前記第１かしめ部には、第１係合部が形成され、
前記第２かしめ部には、前記第１係合部が係止する第２係合部が形成されている、
請求項５に記載の電気コネクタ。
【請求項７】
前記誘電体部は、前記同軸ケーブルの内部導体を収容し、前記筒状部の筒軸方向に対して垂直に延設されている溝状の端子端収容部を有し、
前記延設部は、さらに、前記同軸ケーブルの外部導体を圧着する外部導体圧着部を含む、
請求項４から６のいずれか一項に記載の電気コネクタ。
【請求項８】
前記延設部は、さらに、前記同軸ケーブルの外部導体を被覆する被覆部を圧着する被覆圧着部を含む、
請求項４から７のいずれか１項に記載の電気コネクタ。
【請求項９】
前記接続部材は、
前記ハウジングの前記取付面に当接するバネ部の撓みを規制するため、前記取付面に当接する当接部を有する、
請求項１から８のいずれか１項に記載の電気コネクタ。
【請求項１０】
前記ハウジングは、静電気放電及び不要輻射による影響を低減し、前記取付面を備えるシールド部を有し、
前記接続部材は、前記グランド端子と前記シールド部とを電気的に接続する、
請求項１から９のいずれか１項に記載の電気コネクタ。
【請求項１１】
請求項１から１０のいずれか１項に記載の電気コネクタと、
前記電気コネクタのグランド端子の前記筒状部が挿入される取付孔が形成されているハウジングと、
を有する電気接続構造体。
【発明の詳細な説明】
【技術分野】
【０００１】
本発明は、電気コネクタ、及び電気接続構造体に関する。
【背景技術】
【０００２】
モジュール機器に外部機器を電気的に接続する際には、電気接続の信頼性を高めるため、静電気放電及び不要輻射対策のためのシールド構造、防水構造を採用することが広く行われている。特許文献１には、ケーブルをモジュール機器の筐体に固定するためのコードブッシュを有する技術が記載されている。コードブッシュをモジュールの機器の筐体に取り付ける場合、先ず、防水のためのシール部材をコードブッシュのフランジ部とモジュール機器の筐体との間に挟み込む。次に、フランジ部と筐体とをネジ止めにより固定し、コードブッシュのフランジ部とモジュール機器の筐体との間を封止する。以上により、ケーブルは、コードブッシュ等を介して、水密にモジュール機器の筐体に固定される。
【先行技術文献】
【特許文献】
【０００３】
【特許文献１】特許第５５７３９２８号公報
【発明の概要】
【発明が解決しようとする課題】
【０００４】
特許文献１に記載のものにシールド構造を追加する場合、シールドケース等の部材をグランドに接続するために、半田付け、ネジ止め等が必要となり、組み立て作業が煩雑になる。
【０００５】
本発明は、上記実情に鑑みなされたものであり、コネクタのグランド接続を簡易な方法で行うことができる電気コネクタを提供することを目的とする。
【課題を解決するための手段】
【０００６】
上記目的を達成するために、本発明の第１の観点に係る電気コネクタは、
取付孔が形成されているハウジングを有する機器に同軸ケーブルを接続するための電気コネクタであって、
導体からなる中心端子と、
前記中心端子を取り囲む誘電体から構成される誘電体部と、
前記取付孔に挿入される筒状部を含み、前記筒状部の内部に前記誘電体部と前記中心端子とを収容するグランド端子と、
前記グランド端子の前記筒状部の端部に組み付けられた接続部材と、
を備え、
前記接続部材は、前記筒状部の筒軸方向に撓み可能に設けられ、前記ハウジングの前記取付孔が形成されている取付面に当接するバネ部を有する。
【０００７】
前記グランド端子の前記筒状部の外周側面には、前記ハウジングの前記取付孔内に形成された係止部に係止するランスが形成されていてもよい。
【０００８】
前記中心端子は、中心端子本体と、同軸ケーブルの内部導体を挟む固定接点部と弾性接点部と、を有し、
前記グランド端子は、前記筒状部と一体的に設けられ、前記筒状部の筒軸方向に対して屈曲してから延設される延設部を含み、
前記延設部は、絶縁部材を介して前記弾性接点部を前記固定接点部に向けて押さえてもよい。
【０００９】
前記延設部は、接続部材圧着部を含み、
前記接続部材には、第１かしめ部が形成され、
前記接続部材圧着部が前記第１かしめ部を圧着することで、前記接続部材を前記グランド端子に固定してもよい。
【００１０】
前記グランド端子には、前記筒状部から延設され、前記接続部材圧着部に圧着されている前記第１かしめ部を受ける第２かしめ部が形成されていてもよい。
【００１１】
前記第１かしめ部には、第１係合部が形成され、
前記第２かしめ部には、前記第１係合部が係止する第２係合部が形成されていてもよい。
【００１２】
前記誘電体部は、前記同軸ケーブルの内部導体を収容し、前記筒状部の筒軸方向に対して垂直に延設されている溝状の端子端収容部を有し、
前記延設部は、さらに、前記同軸ケーブルの外部導体を圧着する外部導体圧着部を含んでもよい。
【００１３】
前記延設部は、さらに、前記同軸ケーブルの外部導体を被覆する被覆部を圧着する被覆圧着部を含んでもよい。
【００１４】
前記接続部材は、
前記ハウジングの前記取付面に当接するバネ部の撓みを規制するため、前記取付面に当接する当接部を有していてもよい。
【００１５】
前記ハウジングは、静電気放電及び不要輻射による影響を低減し、前記取付面を備えるシールド部を有し、
前記接続部材は、前記グランド端子と前記シールド部とを電気的に接続してもよい。
【００１６】
上記目的を達成するために、本発明の第２の観点に係る電気接続構造体は、
上記いずれかに記載の電気コネクタと、
前記電気コネクタのグランド端子の筒状部が挿入される取付孔が形成されているハウジングと、
を有する。
【発明の効果】
【００１７】
本発明に係る電気コネクタは、接続部材を有している。このため、コネクタをハウジングに取り付ける際に、コネクタに組み付けられた接続部材をハウジングのグランド接点に接触させることで、コネクタのハウジングへの取り付けと、コネクタのグランド接続を同時に行うことが可能となる。
【図面の簡単な説明】
【００１８】
【図１】（ａ）は本発明の実施の形態に係るカメラモジュールをフロント側から見た斜視図であり、（ｂ）はカメラモジュールをリア側から見た斜視図である。
【図２】（ａ）は、図１（ｂ）中のＩＩＢから見たカメラモジュール平面図である。（ｂ）は、図２（ａ）中のＡ−Ａ線で切断したカメラモジュールの断面図である。
【図３】図２（ａ）中のＢ−Ｂ線で切断したコネクタの断面図である。
【図４】コネクタの組み立てを説明するための図であり、（ａ）は中心端子を誘電体部に挿入する様子を示し、（ｂ）は中心端子及び誘電体部をグランド端子に収容する様子を示す。
【図５】シールドスプリングの外観を示す図であり、（ａ）はカメラモジュールの収容空間側から見た斜視図であり、（ｂ）はリアケースに当接する側から見た斜視図である。
【図６】コネクタの組み立てを説明するための図であり、グランド端子をシールドスプリングのグランド端子収容部に収容した様子を示す。
【図７】コネクタの組み立てを説明するための図であり、グランド端子にシールドスプリングを組み付けた様子を示す。
【図８】コネクタの組み立てを説明するための図であり、グランド端子の延設部を折り曲げた様子を示す。
【図９】コネクタの組み立てを説明するための図であり、（ａ）は、図７に示す部材の断面図であり、（ｂ）は、図８に示す部材の断面図である。
【図１０】（ａ）は、図９に示す部材の斜視図である。（ｂ）は、圧着部をかしめた様子を示す斜視図である。
【図１１】リアケースのオスハウジングへのコネクタの取り付けを説明するための図であり、（ａ）は取付孔への挿入前の様子を示し、（ｂ）は、取付孔に装着した様子を示す。
【図１２】図２（ａ）中のＣ−Ｃ線で切断した場合におけるリアケースのオスハウジングとオスハウジングに取り付けたコネクタの断面図である。
【発明を実施するための形態】
【００１９】
（実施の形態）
以下、図を用いて本発明の実施の形態を説明する。図面には、ＸＹＺ座標を設定し、適宜参照する。
【００２０】
本実施の形態に係るコネクタ１００は、車両に搭載されているカメラモジュール５００に同軸ケーブルを接続するための同軸コネクタであり、同軸構造を保ったまま、信号をロスなく伝播する。カメラモジュール５００は、車両のリアドア、バックドア、サイドミラー、フロントスポイラー等に内蔵または装着され、ドライバーの死角となる車両周辺を撮影する。また、カメラモジュール５００は、同軸ケーブルＬを介して、撮影した画像データを車両に搭載されている映像処理ユニット（不図示）に送信する。
【００２１】
図１（ｂ）、図２（ｂ）に示すように、カメラモジュール５００は、フロントケース５０１とリアケース５０２とを有する。さらに、リアケース５０２は、オスハウジング５０２ａとメスハウジング５０２ｂとから構成される。
【００２２】
フロントケース５０１のフロント側（＋Ｚ側）には、外側に突出する撮像レンズ５０３が配置されている。また、リアケース５０２には、同軸ケーブルＬが接続されている。図３に示すように、リアケース５０２内には、オスコネクタであるコネクタ１００とメスコネクタであるコネクタ２００が配置されている。コネクタ１００、２００により、同軸ケーブルＬとカメラモジュール５００とが接続される。なお、コネクタ２００は、同軸ケーブルＬに適合し、コネクタ１００に対応するメス端子であればよい。
【００２３】
図２（ｂ）に示すように、フロントケース５０１とリアケース５０２のオスハウジング５０２ａとが構成する空間（以下、収容空間Ｓ）内には、撮像レンズ５０３と、撮像レンズ５０３を保持する鏡筒５０４と、ＣＭＯＳ（Complementary Metal Oxide Semiconductor）イメージセンサ５０５と、回路基板５０６と、同軸ケーブル５０７と、コネクタ５０８と、シールドケース５０９とが収容される。
【００２４】
イメージセンサ５０５は、撮像レンズ５０３の像を受像してデータに変換する。イメージセンサ５０５は、例えば、ＣＭＯＳ（Complementary Metal Oxide Semiconductor）イメージセンサ、ＣＣＤイメージセンサから構成される。回路基板５０６には、イメージセンサ５０５から出力された画像データに対して各種画像処理を行う回路部品等が配置されている。回路基板５０６には、コネクタ５０８により、同軸ケーブル５０７の一端が接続されている。同軸ケーブル５０７の他端は、コネクタ１００に接続されている。
【００２５】
さらに、本実施の形態においては、静電気放電及び不要輻射により回路基板５０６に配置された各種回路部品への影響を低減するため、カメラモジュール５００は、シールドケース５０９を有する。シールドケース５０９内には、回路基板５０６と、同軸ケーブル５０７と、コネクタ５０８と、コネクタ１００とが収容されている。
【００２６】
シールドケース５０９は、フロントケース５０１内に配置される本体部５０９ａと、リアケース５０２のオスハウジング５０２ａの内側面（収容空間Ｓ側の面）に設けられた蓋部５０９ｂとから構成されている。蓋部５０９ｂには、後述のオスハウジング５０２ａの取付孔Ｈ１に対応する位置、大きさの孔が形成されている。また、シールドケース５０９はグランド接続されている。
【００２７】
図３に、リアケース５０２内におけるコネクタ１００、２００の配置の様子を示す。オスハウジング５０２ａには、取付孔Ｈ１が形成されている。メスハウジング５０２ｂには、貫通孔Ｈ２が形成されている。メスハウジング５０２ｂが、ねじＦによりオスハウジング５０２ａに固定されると、取付孔Ｈ１と貫通孔Ｈ２とは、１つの貫通孔Ｈを形成する。
【００２８】
ここで、コネクタ１００は、同軸ケーブル５０７の一端が接続された状態で、＋Ｚ側から−Ｚ側に向かって取付孔Ｈ１に挿入され、装着される。コネクタ２００は、同軸ケーブルＬの一端が接続された状態で、−Ｚ側から＋Ｚ側に向かって貫通孔Ｈ２に挿入される。貫通孔Ｈ内において、コネクタ１００とコネクタ２００の中心端子がかみ合わされることで、同軸構造を保持したまま、コネクタ１００とコネクタ２００とを接続することができる。このようにして、同軸ケーブルＬと同軸ケーブル５０７が接続される。
【００２９】
なお、前述のように、オスハウジング５０２ａの内側面（収容空間Ｓ側の面）には蓋部５０９ｂが設けられているので、コネクタ１００は、蓋部５０９ｂに装着されることになる。本実施の形態においては、蓋部５０９ｂの＋Ｚ側の面が、コネクタ１００を取り付ける取付面となる。
【００３０】
また、メスハウジング５０２ｂをネジ止めによりオスハウジング５０２ａに固定する際には、図３に示すように、オスハウジング５０２ａとメスハウジング５０２ｂとの間にシール材（パッキン）Ｐを挟みこむ。これにより、オスハウジング５０２ａとメスハウジング５０２ｂとの隙間から貫通孔Ｈ内に水が浸入することを防止できる。
【００３１】
メスハウジング５０２ｂの貫通孔Ｈ２の−Ｚ側の入り口には、コードブッシュＣＢが設けられている。コードブッシュＣＢは、同軸ケーブルＬが折り曲げ等により破損することを防止し、さらに、貫通孔Ｈ２の−Ｚ側の入り口から水が貫通孔Ｈ２内に進入することを防止する。
【００３２】
以下の説明においては、まず、コネクタ１００を構成する部品をそれぞれ説明し、その後、コネクタ１００の組み立て方法を説明する。
【００３３】
コネクタ１００は、同軸ケーブル５０７の内部導体に接続される中心端子１１０と、中心端子１１０と、グランド端子１３０の間に設けられる誘電体部１２０と、同軸ケーブル５０７の外部導体（シールド層）に接続されるグランド端子１３０と、シールドスプリング（接続部材）１４０と、を含む。
【００３４】
図４（ａ）に組み立て前の中心端子１１０を示す。中心端子１１０は、金属から構成され、筒状の端子本体部１１１と、弾性変形する第１接点部１１２と、第２接点部１１３とを含む。
【００３５】
第１接点部１１２と第２接点部１１３とは、同軸ケーブル５０７の内部導体を挟み込む。従って、中心端子１１０と同軸ケーブル５０７の内部導体とが電気的に接続される。
【００３６】
誘電体部１２０は、誘電体（絶縁体）から構成され、筒軸Ａを有する筒状の誘電体本体部１２１と、端子端収容部１２２と、板状部１２３とを有する。誘電体本体部１２１の内部には、中心端子１１０の端子本体部１１１が収容される。端子端収容部１２２は、溝状の形状を有し、筒軸Ａに対して垂直に延設されている。板状部１２３は、誘電体本体部１２１から、筒軸Ａの方向と同じ方向に延設されている。板状部１２３は、組み立ての際に、筒軸Ａに対して垂直に折り曲げられ、端子端収容部１２２とともに、同軸ケーブル５０７の端部を収容する空間を構成する。
【００３７】
図４（ｂ）に組み立て前のグランド端子１３０を示す。グランド端子１３０は、金属から構成され、筒状部１３１と、板状部１３２及び圧着部１３３から構成される延設部１５０と、かしめ部１３４と、係合部１３５と、ランス１３６とを含む。
【００３８】
筒状部１３１の内部には、中心端子１１０と誘電体部１２０とが収容される。従って、グランド端子１３０の筒状部１３１と、筒状の中心端子１１０の端子本体部１１１とは、同心円上に配置される。また、筒状の誘電体本体部１２１は、中心端子１１０の端子本体部１１１と、グランド端子１３０の筒状部１３１との間に設けられる。
【００３９】
筒状部１３１は、図１１（ａ）に示すように、コネクタ１００をオスハウジング５０２ａに装着する際に、オスハウジング５０２ａに形成された取付孔Ｈ１に挿入される。
【００４０】
板状部１３２及び圧着部１３３から構成される延設部１５０は、筒状部１３１に延設された部分であり、図４（ｂ）に示すように、筒状部１３１と一体的に形成されている。
【００４１】
延設部１５０は、コネクタ１００を組み立てる工程において折り曲げられると、図８に示すように、筒軸Ａ方向からに対して屈曲して延設される。
【００４２】
図９（ａ）に示すように、延設部１５０が屈曲していない状態（組み立て前の状態）においては、第１接点部１１２は弾性変形していない。図９（ｂ）に示すように、延設部１５０が屈曲した状態（組み立て後の状態）においては、第１接点部１１２は、板状部１２３ととともに、圧着部１３３により押圧される。従って、第１接点部１１２は、同軸ケーブル５０７の内部導体に接触する。
【００４３】
図４（ｂ）を参照する。圧着部１３３は、板状部１３２から順に延設された接続部材圧着部１３３ａと、外部導体圧着部１３３ｂと、被覆圧着部１３３ｃとを含む。
【００４４】
接続部材圧着部１３３ａは、シールドスプリング１４０をグランド端子１３０に確実に固定するため、後述のシールドスプリング１４０のかしめ部１４４をグランド端子１３０に圧着する。外部導体圧着部１３３ｂと被覆圧着部１３３ｃとは、同軸ケーブル５０７をグランド端子１３０に固定するため、同軸ケーブル５０７の端部を圧着する。
【００４５】
かしめ部１３４は、筒状部１３１の筒状部１３１が接する側の端部に、筒状部１３１の側面から外側に向かって突出した１対の板状部材から構成される。かしめ部１３４は、後述のシールドスプリング１４０のかしめ部１４４とともにかしめられる。従って、シールドスプリング１４０がグランド端子１３０に電気的に接続される。
【００４６】
係合部１３５は、かしめ部１３４にそれぞれ形成された一対の突部から構成される。係合部１３５は、後述のシールドスプリング１４０の係合部１４５に係合する。これにより、かしめる前のグランド端子１３０とシールドスプリング１４０との一方又は両方の位置がずれるのを防止することができるため、グランド端子１３０とシールドスプリング１４０とをかしめる際の位置決めを行うことができる。また、かしめる前の仮組付け状態（キャリア状態）のグランド端子１３０とシールドスプリング１４０とを搬送する際に、グランド端子１３０とシールドスプリング１４０との一方又は両方の位置がずれるのを防止することができる。
【００４７】
ランス１３６は、筒状部１３１の外周側面に形成されており、コネクタ１００がオスハウジング５０２ａの取付孔Ｈ１から抜け落ちることを防止するための係止機構である。ランス１３６は、図１１（ｂ）に示すように、筒状部１３１がオスハウジング５０２ａの取付孔Ｈ１に挿入されると、図１２に示すように、取付孔Ｈ１内に形成されている係止部５１０に係止する。
【００４８】
シールドスプリング１４０は、図５に示すように、グランド端子１３０をオスハウジング５０２ａのシールドケース５０９の蓋部５０９ｂに接続するための接続部品である。シールドスプリング１４０は、金属の一枚板を加工して形成され、バネ部１４１、グランド端子収容部１４２、突起部１４３、かしめ部１４４、係合部１４５、当接部１４６を含む。
【００４９】
バネ部１４１は、断面がＵ字である板バネから構成され、グランド端子収容部１４２の両側に設けられている。バネ部１４１は、平面部１４１ａ、１４１ｂ、平面部１４１ａと平面部１４１ｂとをＵ字状に接続する湾曲部１４１ｃを含む。バネ部１４１は、図１１（ｂ）に示すように、コネクタ１００がオスハウジング５０２ａ（蓋部５０９ｂ）に装着された状態において、グランド端子１３０の筒状部１３１の筒軸に対して撓み可能に構成されている。また、この状態において、平面部１４１ｂの先端近傍の湾曲部分は、オスハウジング５０２ａのシールドケース５０９の蓋部５０９ｂに当接する。
【００５０】
グランド端子収容部１４２は、図６、図７に示すように、バネ部１４１に挟み込まれた、グランド端子１３０の筒状部１３１を収容するスペースである。図５に示すように、グランド端子収容部１４２は、バネ部１４１の一対の平面部１４１ａから垂直方向に延設されると共に対向する１対の板面１４２ａと、バネ部１４１をつなぐ板面１４２ｂとに囲まれた空間から構成される。
【００５１】
突起部１４３は、バネ部１４１の平面部１４１ａの、板面１４２ａと隣接する端部とは逆の端部から垂直方向に延設された板面に形成されている。突起部１４３は、コネクタ１００をオスハウジング５０２ａに装着する際に、図１１（ａ）に示す一対の挿入孔Ｈ３に挿入される。このため、コネクタ１００の取り付け位置がずれることを防止できる。
【００５２】
かしめ部１４４は、一対の板面１４２ａからそれぞれ延設する１対の板状部材から構成される。かしめ部１４４を構成する一対の板状部材は、その大きさがグランド端子１３０のかしめ部１３４を構成する一対の板状部材の大きさと等しい。かしめ部１４４は、グランド端子１３０のかしめ部１３４とともにかしめられる。従って、シールドスプリング１４０がグランド端子１３０に電気的に接続される。
【００５３】
係合部１４５は、かしめ部１４４にそれぞれ形成された一対の突部から構成される。係合部１４５は、グランド端子１３０の係合部１３５に係合する。これにより、かしめる前のグランド端子１３０とシールドスプリング１４０との一方又は両方の位置がずれるのを防止することができるため、グランド端子１３０とシールドスプリング１４０とをかしめる際の位置決めを行うことができる。また、かしめる前の仮組付け状態（キャリア状態）のグランド端子１３０とシールドスプリング１４０とを搬送する際に、グランド端子１３０とシールドスプリング１４０との一方又は両方の位置がずれるのを防止することができる。
【００５４】
当接部１４６は、バネ部１４１の平面部１４１ａの、板面１４２ａと隣接する端部とは逆の端部から垂直方向に延設された板面に、突起部１４３に隣り合うよう形成されている。当接部１４６は、コネクタ１００をオスハウジング５０２ａに装着する際に、蓋部５０９ｂに当接する。よって、突起部１４３の挿入孔Ｈ３への挿入量が規制される。この結果、バネ部１４１の撓みが規制される。
【００５５】
次に、コネクタ１００の組み立て方法を説明する。
【００５６】
図４（ａ）に示すように、中心端子１１０の端子本体部１１１を、矢印Ａ１方向に向かって、誘電体部１２０の誘電体本体部１２１の内部に挿入する（ステップ１）。
【００５７】
図４（ｂ）に示すように、ステップ１で組み立てた部材を、矢印Ａ２方向に向かって、グランド端子１３０の筒状部１３１の内部に挿入する（ステップ２）。
【００５８】
図６に示すように、シールドスプリング１４０を、矢印Ａ３方向に向かって、ステップ２で組み立てた部材に取り付ける（ステップ３）。このとき、グランド端子１３０の筒状部１３１の端部を、シールドスプリング１４０のグランド端子収容部１４２に収容させ、かしめ部１３４とかしめ部１４４とを重ね合わせ、係合部１３５を係合部１４５に係止する。
【００５９】
図７に示すように、ステップ３で組み立てた部材に、先端部分の導体部分の被覆を除いた同軸ケーブル５０７を装着する（ステップ４）。具体的には、同軸ケーブル５０７の端部を、矢印Ａ４方向に向かって、端子端収容部１２２の溝に挿入する。このとき、図９（ａ）に示すように、同軸ケーブル５０７の露出した内部導体５０７ａの端部が中心端子１１０の第２接点部１１３の端部と重なる位置まで、同軸ケーブル５０７の内部導体５０７ａの端部を端子端収容部１２２の溝に進入させる。なお、装着する同軸ケーブル５０７は、内部導体５０７ａ、誘電体５０７ｂ、外部導体５０７ｃの先端部がそれぞれ一定の間隔で露出するよう加工されているものとする。
【００６０】
続いて、図７、図９（ａ）に示す、板状部１３２と筒状部１３１とのつなぎ目を起点として、板状部１３２及び圧着部１３３からなる延設部１５０を、図８、図９（ｂ）に示すように、筒状部１３１の筒軸に対して垂直に折り曲げる（ステップ５）。延設部１５０の折り曲げに伴って、板状部１２３と第１接点部１１２を押圧する。また、延設部１５０と共に、板状部１２３も折り曲げられ、第１接点部１１２は、端子端収容部１２２の溝の内部に入りこむ。この結果、第１接点部１１２と、第２接点部１１３とは、後述の同軸ケーブル５０７の内部導体５０７ａの端部を挟み込む。板状部１２３と第１接点部１１２が、板状部１３２及び圧着部１３３から構成される延設部１５０によって押圧されることで、第１接点部１１２と、第２接点部１１３とは、後述の同軸ケーブル５０７の内部導体５０７ａの端部を確実に挟み込むことができる。このようにして、中心端子１１０と同軸ケーブル５０７の内部導体５０７ａが電気的に接続される。
【００６１】
図１０（ａ）及び図１０（ｂ）に示すように、圧着部１３３をかしめる（ステップ６）。
【００６２】
具体的には、まず、かしめ部１３４とかしめ部１４４が重なった状態で、接続部材圧着部１３３ａをかしめる。よって、かしめ部１３４とかしめ部１４４が互いに密着した状態で変形し、グランド端子１３０とシールドスプリング１４０とが電気的に接続される。このようにして、グランド端子１３０とシールドスプリング１４０の良好な電気接続を容易に行うことができる。
【００６３】
続いて、外部導体圧着部１３３ｂと被覆圧着部１３３ｃをそれぞれかしめる。よって、同軸ケーブル５０７がコネクタ１００に固定される。また、外部導体圧着部１３３ｂと被覆圧着部１３３ｃにより、外部導体５０７ｃの先端部分と被覆５０７ｄの先端部分がそれぞれ圧着される。
以上により、コネクタ１００は完成する。
【００６４】
コネクタ１００をリアケース５０２のオスハウジング５０２ａに取り付ける際には、図１１（ａ）に示すように、オスハウジング５０２ａの蓋部５０９ｂが設けられた取付面から、図１１（ｂ）に示すように、コネクタ１００（グランド端子１３０の筒状部１３１）を取付孔Ｈ１に挿入する。コネクタ１００が取付孔Ｈ１内の適正位置まで挿入されると、図１２に示すように、コネクタ１００のランス１３６が、オスハウジング５０２ａの取付孔Ｈ１内に形成された係止部５１０に係止する。従って、コネクタ１００の脱落が防止される。
【００６５】
この状態において、シールドスプリング１４０のバネ部１４１の平面部１４１ｂの先端近傍の湾曲部分が、シールドケース５０９の蓋部５０９ｂに当接しているため、コネクタ１００のシールド接続が完了している。また、前述のように、シールドケース５０９がグランド接続されており、組み立ての際にシールドスプリング１４０とグランド端子１３０が電気的に接続されているので、コネクタ１００を改めてグランド接続する必要はない。
【００６６】
以上説明したように、本実施の形態においては、コネクタ１００のグランド端子１３０には、シールドスプリング１４０が組み付けられている。また、シールドスプリング１４０は、オスハウジング５０２ａの取付孔Ｈ１が形成されている取付面（シールドケース５０９の蓋部５０９ｂ）に当接するバネ部１４１を有しており、コネクタ１００を取付面に取り付けると同時に、シールドスプリング１４０のバネ部１４１が取付面に当接する。即ち、コネクタ１００の取り付けを容易に行うことができる。また、シールド接続を同時に行うことも可能である。このように、シールド接続のため、ネジ止め、半田付けといった工程を必要とせず、コネクタ１００のシールド接続を簡易な方法で行うことができる。
【００６７】
また、グランド端子１３０の筒状部１３１の外周側面に形成されたランス１３６が、オスハウジング５０２ａの取付孔Ｈ１内に形成された係止部５１０に係止するため、コネクタ１００がオスハウジング５０２ａの取付孔Ｈ１から抜け落ちることを防止することができる。
【００６８】
グランド端子１３０の筒状部１３１と一体的に設けられた延設部１５０（板状部１３２と圧着部１３３）が、中心端子１１０の第１接点部１１２を押圧するので、第１接点部１１２と、第２接点部１１３とは、同軸ケーブル５０７の内部導体５０７ａを確実に挟み込むことができる。
【００６９】
接続部材圧着部１３３ａにより、シールドスプリング１４０のかしめ部１４４を圧着することで、シールドスプリング１４０をグランド端子１３０に確実に固定することができる。
【００７０】
グランド端子１３０に形成されているかしめ部１３４とシールドスプリング１４０のかしめ部１４４をともに圧着することで、良好な電気接続を容易に行うことができる。
【００７１】
シールドスプリング１４０のかしめ部１４４に形成された係合部１４５と、グランド端子１３０のかしめ部１３４に形成された係合部１３５とが係合することで、グランド端子１３０のかしめ部１３４をシールドスプリング１４０のかしめ部１４４に圧着した後、かしめ部１３４とかしめ部１４４の一方又は両方の位置がずれるのを防止することができる。
【００７２】
コネクタ１００をオスハウジング５０２ａ（蓋部５０９ｂ）に装着する際に、シールドスプリング１４０が有する当接部１４６が蓋部５０９ｂに当接し、突起部１４３の挿入孔Ｈ３への挿入量が規制される。このようにして、シールドスプリング１４０のバネ部１４１の撓みを規制することができる。
【００７３】
誘電体部１２０の端子端収容部１２２が、誘電体本体部１２１に垂直に延設されているため、コネクタ１００は、コネクタ５０８と同様に、回路基板５０６に対して水平方向に挿入可能である。このように構成することで、コネクタ１００を高さ方向においてコンパクトに構成することができる。
【００７４】
グランド端子の圧着部１３３（外部導体圧着部１３３ｂ、被覆圧着部１３３ｃ）により、同軸ケーブル５０７の外部導体５０７ｃ、被覆５０７ｄをそれぞれ圧着するので、内部導体５０７ａが外部に露出することを防止できる。
【００７５】
（変形例）
上述の実施の形態においては、カメラモジュール５００のハウジング（フロントケース５０１、リアケース５０２）がシールドケース５０９を有する例を説明したが、シールドケース５０９を有していないハウジングに対しても、コネクタ１００を採用することができる。
【００７６】
この場合、オスハウジング５０２ａの取付孔Ｈ１が設けられた面が取付面となり、コネクタ１００をこの面に直接取り付ける。従って、シールドスプリング１４０は当該面に直接当接する。また、グランド接続したシールドケースを使用しないため、グランド端子１３０が、オスハウジング５０２ａに別途設けられたグランド接点に接続されるようにすればよい。
【００７７】
上記の構成においては、シールドスプリング１４０は、シールド接続の役割を持たないものの、シールドスプリング１４０のバネ部１４１が、オスハウジング５０２ａの取付面に当接するので、コネクタ１００をオスハウジング５０２ａの取付孔Ｈ１に取り付けた状態において、コネクタ１００が、がたつくことを抑制することができる。また、この場合も、コネクタ１００を簡易にオスハウジング５０２ａに取り付けることができる。
【００７８】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００７９】
１００  コネクタ（電気コネクタ）、１１０  中心端子、１１１  端子本体部（中心端子本体）、１１２  第１接点部（弾性接点部）、１１３  第２接点部（固定接点部）、１２０  誘電体部、１２１  誘電体本体部、１２２  端子端収容部、１２３  板状部（絶縁部材）、１３０  グランド端子、１３１  筒状部、１３２  板状部、１３３  圧着部、１３３ａ  接続部材圧着部、１３３ｂ  外部導体圧着部、１３３ｃ  被覆圧着部、１３４  かしめ部（第２かしめ部）、１３５  係合部（第２係合部）、１３６  ランス、１４０  シールドスプリング（接続部材）、１４１  バネ部、１４１ａ  平面部、１４１ｂ  平面部、１４１ｃ  湾曲部、１４２  グランド端子収容部、１４２ａ  板面、１４２ｂ  板面、１４３  突起部、１４４  かしめ部（第１かしめ部）、１４５  係合部（第１係合部）、１４６  当接部、１５０  延設部、２００  コネクタ、５００  カメラモジュール、５０１  フロントケース、５０２  リアケース、５０２ａ  オスハウジング（ハウジング）、５０２ｂ  メスハウジング、５０３  撮像レンズ、５０４  鏡筒、５０５  ＣＭＯＳイメージセンサ、５０６  回路基板、５０７  同軸ケーブル、５０７ａ  内部導体、５０７ｂ  誘電体、５０７ｃ  外部導体、５０７ｄ  被覆（被覆部）、５０８  コネクタ、５０９  シールドケース（シールド部）５０９ａ  本体部、５０９ｂ  蓋部、５１０  係止部、Ａ  筒軸、ＣＢ  コードブッシュ、Ｆ  ねじ、Ｈ  貫通孔、Ｈ１  取付孔、Ｈ２  貫通孔、Ｈ３  挿入孔、Ｌ  同軸ケーブル、Ｐ  パッキン、Ｓ  収容空間
【図１】
2019029235.tif 000003
【図２】
2019029235.tif 000004
【図３】
2019029235.tif 000005
【図４】
2019029235.tif 000006
【図５】
2019029235.tif 000007
【図６】
2019029235.tif 000008
【図７】
2019029235.tif 000009
【図８】
2019029235.tif 000010
【図９】
2019029235.tif 000011
【図１０】
2019029235.tif 000012
【図１１】
2019029235.tif 000013
【図１２】
2019029235.tif 000014